(57)【要約】【課題】本発明は、顧客に特別な操作を要求することなくキャッシュカード５０の磁気ストライプ情報５００を復旧して顧客の利便性を向上できる自動取引装置、自動取引方法、自動取引プログラム、及び磁気情報復旧システムを提供することを目的とする。【解決手段】磁気ストライプ情報５００を記憶する磁気ストライプ５１及びＩＣチップ５２を備えたキャッシュカード５０を受付けるカード機構部１２と、制御部１１とを備えたＡＴＭ１０であって、制御部１１に、ＩＣチップ５２の改変チェック情報５３０と比較して磁気ストライプ情報５００の改変を判定する改変判定処理と、改変していなければ磁気ストライプ情報５００を複製磁気ストライプ情報５２０としてＩＣチップ５２に記憶する複製処理と、改変していれば複製磁気ストライプ情報５２０を磁気ストライプ情報５００として磁気ストライプ５１に記憶する復旧処理とを備えたことを特徴とする。【選択図】図６
2012248170.tif 000002
【特許請求の範囲】
【請求項１】
取引に用いる顧客情報を磁気情報として記憶する磁気ストライプ、及び取引に用いる顧客情報をＩＣチップ情報として記憶するＩＣチップを備えた顧客媒体を受付ける顧客媒体受付部と、
該顧客媒体受付部を制御する制御部とを備えた自動取引装置であって、
前記制御部に、
前記磁気情報を読込むと、前記磁気情報の所定の情報で構成するとともに、前記ＩＣチップに記憶した改変チェック情報と比較して前記磁気情報の改変有無を判定する改変判定処理と、
前記磁気情報が改変していなければ、読込んだ前記磁気情報を複製磁気情報として前記ＩＣチップに複製記憶する複製処理と、
前記磁気情報が改変していれば、前記複製磁気情報を読込んで磁気情報として前記磁気ストライプに記憶する復旧処理とを備えた
自動取引装置。
【請求項２】
前記制御部に、
前記顧客媒体受付部が前記顧客媒体を受付けると、前記磁気ストライプの前記磁気情報の読取り可否を判定し、
読取り不可であれば、前記復旧処理を実行する読取り判定処理を備えた
請求項１に記載の自動取引装置。
【請求項３】
前記制御部に、
前記磁気情報の更新に用いる更新磁気情報を作成して、
該更新磁気情報を、複製磁気情報として前記ＩＣチップに記憶したのち、
磁気情報として前記磁気ストライプに記憶する更新処理を備えた
請求項１または２に記載の自動取引装置。
【請求項４】
取引に用いる顧客情報を磁気情報として記憶する磁気ストライプ、及び取引に用いる顧客情報をＩＣチップ情報として記憶するＩＣチップを備えた顧客媒体を顧客媒体受付部で受付けると、制御部により前記顧客媒体受付部を制御する装置を用いた自動取引方法であって、
前記制御部の改変判定処理により、
前記磁気情報を読込むと、前記磁気情報の所定の情報で構成するとともに、前記ＩＣチップに記憶した改変チェック情報と比較して前記磁気情報の改変有無を判定し、
前記磁気情報が改変していなければ、複製処理により、読込んだ前記磁気情報を複製磁気情報として前記ＩＣチップに複製記憶し、
前記磁気情報が改変していれば、復旧処理により、前記複製磁気情報を読込んで磁気情報として前記磁気ストライプに記憶する
自動取引方法。
【請求項５】
取引に用いる顧客情報を磁気情報として記憶する磁気ストライプ、及び取引に用いる顧客情報をＩＣチップ情報として記憶するＩＣチップを備えた顧客媒体を受付ける顧客媒体受付部と、該顧客媒体受付部を制御する制御部とを備えた装置を用いた自動取引プログラムであって、
前記制御部に、
前記磁気情報を読込むと、前記磁気情報の所定の情報で構成するとともに、前記ＩＣチップに記憶した改変チェック情報と比較して前記磁気情報の改変有無を判定するステップと、
前記磁気情報が改変していなければ、読込んだ前記磁気情報を複製磁気情報として前記ＩＣチップに複製記憶するステップと、
前記磁気情報が改変していれば、前記複製磁気情報を読込んで磁気情報として前記磁気ストライプに記憶するステップとを実行させる
自動取引プログラム。
【請求項６】
取引に用いる顧客情報を磁気情報として記憶する磁気ストライプ、及び取引に用いる顧客情報をＩＣチップ情報として記憶するＩＣチップを備えた顧客媒体と、該顧客媒体を受付ける顧客媒体受付手段とを備えた磁気情報復旧システムであって、
前記顧客媒体のＩＣチップに、
前記磁気情報の所定の情報で構成した改変チェック情報と、
前記磁気情報の複製である複製磁気情報と、
前記顧客媒体受付手段で実行する各種処理プログラムとを備え、
前記顧客媒体受付手段を、
前記磁気情報を読込むと、前記改変チェック情報と比較して前記磁気情報の改変有無を判定し、前記磁気情報が改変していなければ、読込んだ前記磁気情報を複製磁気情報として前記ＩＣチップに複製記憶する一方、前記磁気情報が改変していれば、前記複製磁気情報を読込むとともに、前記磁気ストライプに記憶して前記磁気情報を復旧するプログラムを前記ＩＣチップから読み出して実行する構成とした
磁気情報復旧システム。
【発明の詳細な説明】
【技術分野】
【０００１】
この発明は、例えばＩＣチップと磁気ストライプを有するキャッシュカードにおいて、改変した磁気ストライプの情報を復旧することができるような自動取引装置、自動取引方法、自動取引プログラム、及び磁気情報復旧システムに関する。
【背景技術】
【０００２】
無人で紙幣や硬貨の入出金することができる自動取引装置として、ＡＴＭや両替機などが広く普及している。このような自動取引装置において、顧客は、顧客情報を記憶したキャッシュカードのような顧客媒体を用いて取引を行う。
【０００３】
この顧客媒体は、従来、薄膜帯状の磁性体である磁気ストライプに顧客の口座番号や残高情報などからなる顧客情報を磁気情報として記憶していたが、昨今、セキュリティ強度の高いＩＣチップに顧客情報を記憶したＩＣカードタイプが普及しつつある。
【０００４】
しかしながら、ＩＣカード非対応の自動取引装置が稼働していることもあり、全ての取引処理をＩＣカードタイプの顧客媒体で行うことができない。このため、顧客媒体は、磁気ストライプとＩＣチップの両方を備えていることが多い。
【０００５】
ところで、この磁気ストライプは、強い磁気の影響を受けると磁気情報が改変し易いという特徴がある。このため、この特徴を悪用して磁気情報を改ざんした顧客媒体を用いた不正な取引が問題となっている。加えて、昨今では、携帯電話のスピーカーなど身近なところに磁気を帯びたものが多く、磁気情報が意図せず改変するリスクが増加している。そして、磁気情報が改変すると、自動取引装置が顧客媒体を読取れない、あるいは取引を正常に行うことができないおそれがある。
【０００６】
そこで、ホストコンピューターに記憶している顧客情報と照合して、改変した磁気情報を復旧する、あるいは磁気情報が改変していても取引を継続できる技術が提案されている。
【０００７】
例えば、特許文献１では、自動取引装置が顧客媒体を正常に取り扱えないと判断すると、免許証などの個人を特定する媒体の投入を顧客に要求する。そして、自動取引装置が個人を特定する媒体の情報を磁気情報の復旧処理を行うセンタに送信し、センタにてホストコンピューターの顧客情報と照合を行う。その後、自動取引装置は、センタからの対応指示にしたがって顧客媒体を復旧するとされている。
【０００８】
また、特許文献２では、自動取引装置が顧客媒体を正常に取り扱えないと判断すると、住所、氏名、及び電話番号などの顧客を特定できる情報の入力を顧客に要求する。そして、自動取引装置は、入力された情報をホストコンピューターに照会し、ホストコンピューターの顧客情報と合致すれば取引を継続するとされている。
【０００９】
しかしながら、特許文献１、及び特許文献２の自動取引装置では、改ざんした顧客媒体を用いた不正な取引を防止できないという問題がある。また、特許文献１では、センタを設ける必要があるうえ、個人を特定する媒体が必要となる。つまり、免許証などを持っていない場合、すぐに顧客媒体を復旧できないという問題がある。一方、特許文献２では、住所や氏名などの入力する手間がかかるという問題がある。
【先行技術文献】
【特許文献】
【００１０】
【特許文献１】特開２００５−１０００７５号公報
【特許文献２】特開２００１−２５０１５１号公報
【発明の概要】
【発明が解決しようとする課題】
【００１１】
本発明は、上述の問題に鑑み、顧客に特別な操作を要求することなく、顧客媒体の磁気情報を復旧して、顧客の利便性を向上することができる自動取引装置、自動取引方法、自動取引プログラム、及び磁気情報復旧システムを提供することを目的とする。
【課題を解決するための手段】
【００１２】
この発明は、取引に用いる顧客情報を磁気情報として記憶する磁気ストライプ、及び取引に用いる顧客情報をＩＣチップ情報として記憶するＩＣチップを備えた顧客媒体を受付ける顧客媒体受付部と、該顧客媒体受付部を制御する制御部とを備えた自動取引装置であって、前記制御部に、前記磁気情報を読込むと、前記磁気情報の所定の情報で構成するとともに、前記ＩＣチップに記憶した改変チェック情報と比較して前記磁気情報の改変有無を判定する改変判定処理と、前記磁気情報が改変していなければ、読込んだ前記磁気情報を複製磁気情報として前記ＩＣチップに複製記憶する複製処理と、前記磁気情報が改変していれば、前記複製磁気情報を読込んで磁気情報として前記磁気ストライプに記憶する復旧処理とを備えたことを特徴とする。
【発明の効果】
【００１３】
本発明により、顧客に特別な操作を要求することなく、顧客媒体の磁気情報を復旧して、顧客の利便性を向上できる自動取引装置、自動取引方法、自動取引プログラム、及び磁気情報復旧システムを提供することができる。
【図面の簡単な説明】
【００１４】
【図１】ＡＴＭと通信回線を介して接続されたホストコンピューターとのシステム構成図。
【図２】ＡＴＭとホストコンピューターの内部構成を示すブロック図。
【図３】ＡＴＭの取引動作を示すフローチャート。
【図４】取引種別の選択押下を促す画面を示す取引メニュー画面。
【図５】キャッシュカードのデータ構成を示すデータ構成図。
【図６】キャッシュカードを読取る動作を示すフローチャート。
【図７】改変判定処理の動作を示すフローチャート。
【図８】改変判定処理の動作を示すフローチャート。
【図９】更新処理の動作を示すフローチャート。
【図１０】実施例３におけるキャッシュカードとカード専用端末の内部構成を示すブロック図。
【図１１】ＩＣチップにおける別のデータ構成を示すデータ構成図。
【発明を実施するための形態】
【００１５】
この発明の一実施形態を以下図面と共に説明する。  
【実施例１】
【００１６】
図１はＡＴＭ１０（自動取引装置）と通信回線１を介して接続されたホストコンピューター２０とのシステム構成図を示し、図２はＡＴＭ１０とホストコンピューター２０の内部構成のブロック図を示している。
【００１７】
ＡＴＭ１０は、図１に示すように、銀行などに設置されて顧客操作によって現金の入出金等の取引を行うことができる自動取引装置であって、ＡＴＭ１０の中ほどの高さにある水平操作面に紙幣入出金機構部１３、硬貨入出金機構部１４、静脈認証機構部１５、及び操作部１６が配置され、水平操作面から上方垂直操作面にカード機構部・明細票機構部１２（顧客媒体受付部）、及び通帳機構部１７が配置されている。  
そして、ＡＴＭ１０は、通信回線１を介してホストコンピューター２０と相互に通信可能に接続している。
【００１８】
具体的には、ＡＴＭ１０は、図２に示すように、カード機構部・明細票機構部１２、紙幣入出金機構部１３、硬貨入出金機構部１４、静脈認証機構部１５、操作部１６、及び通帳機構部１７が所定のバスを介して制御部１１（制御部）に接続している。さらに、音声案内ガイダンス部１８、及び回線接続部１９が所定のバスを介して制御部１１に接続している。
【００１９】
制御部１１は、ＣＰＵ、及びメモリ等のハード構成と、プログラム、及びデータ等のソフト構成とで構成され、顧客がＡＴＭ１０を操作して取引を行う取引操作等の各種処理機能や、所定のバスを介して接続された各部の動作を制御する制御機能を有している。
【００２０】
カード機構部・明細票機構部１２は、キャッシュカード（顧客媒体）の挿入・排出機能とキャッシュカード情報の読取り書込み機能を有するカード機構部と、取引の内容を明細票に印字し排出する機能を有する明細票機構部とを一体で構成している。
【００２１】
紙幣入出金機構部１３は、紙幣の入出金機能、識別機能、及び収納機能などを有している。  
硬貨入出金機構部１４は、硬貨の入出金機能、識別機能、及び収納機能などを有している。  
静脈認証機構部１５は、顧客の静脈を読取る静脈読取機能とキャッシュカードに記憶している静脈データと照合して認証を行う認証機能を有している。
【００２２】
操作部１６は、取引種別の選択や取引金額の入力などの顧客の入力操作を受付ける機能と、取引操作案内を表示する機能とを兼ね備えたタッチパネルで構成している。  
通帳機構部１７は、顧客の通帳の挿入・排出する機能と、通帳の情報を読取る機能と、通帳に取引内容を印字する印字機能とを有している。
【００２３】
音声案内ガイダンス部１８は、取引にかかる操作を音声で案内する機能を有している。  
回線接続部１９は、ＡＴＭ１０を通信回線１に接続する機能と、通信回線１を介して接続したホストコンピューター２０と各種情報の受送信を行う機能を有している。
【００２４】
また、ホストコンピューター２０は、図２に示すように、口座情報ファイル制御部２２、回線接続部２３、及びファイル部２４が所定のバスを介してホストコンピューター制御部２１に接続している。
【００２５】
ホストコンピューター制御部２１は、ＣＰＵ、及びメモリ等のハード構成と、プログラム、及びデータ等のソフト構成とで構成され、ＡＴＭ１０と通信回線１を介して取引を行う各種処理機能や、所定のバスを介して接続された各部の動作を制御する制御機能を有している。
【００２６】
口座情報ファイル制御部２２は、ホストコンピューター制御部２１の指示により、後述するファイル部２４に記憶しているファイルの入出力制御を行う機能を有している。
【００２７】
回線接続部２３は、ホストコンピューター２０を通信回線１に接続する機能と、通信回線１を介して接続したＡＴＭ１０と各種情報の受送信を行う機能を有している。
【００２８】
ファイル部２４は、顧客の氏名、口座番号、あるいはキャッシュカード情報などの顧客情報を記憶している口座情報ファイル２５と、その他の各種情報を記憶している各種ファイル２６などで構成している。そして、口座情報ファイル２５、及び各種ファイル２６は、口座情報ファイル制御部２２の指示により、適宜読み出し書込みが行われる。  
このような構成のＡＴＭ１０とホストコンピューター２０は、通信回線１を介して各制御部の指示により取引にかかる各種情報の受送信を行う。
【００２９】
次に、顧客が操作して取引を行う際のＡＴＭ１０の取引動作を図３から図９を用いて説明する。  
なお、図３はＡＴＭ１０の取引動作のフローチャートを示し、図４は取引種別の選択押下を促す取引メニュー画面４０を示し、図５はキャッシュカード５０のデータ構成図を示している。さらに、図６はキャッシュカード５０を読取る動作のフローチャートを示し、図７、及び図８は改変判定処理の動作のフローチャートを示し、図９は更新処理の動作のフローチャートを示している。
【００３０】
まず、顧客がＡＴＭ１０の前に立つと、図３に示すように、ＡＴＭ１０の制御部１１は、取引種別の選択押下を顧客に促す取引メニュー画面４０を表示部１６に表示する（ステップＳ３０１）。
【００３１】
この取引メニュー画面４０は、図４に示すように、画面略中央に「いらっしゃいませ」、「ご用件の青色のキーを１つ押してください」という操作案内メッセージと、その下部に画面左端からお引出しボタン４１、お預入れボタン４２、お振込みボタン４３、残高照会ボタン４４を表示し、残高照会ボタン４４の下部にカード復旧ボタン４５を表示している。
【００３２】
そして、例えば、顧客がお引出しボタン４１を押下すると、図３に戻り、ＡＴＭ１０の制御部１１は、顧客に対してカード機構部・明細票機構部１２にキャッシュカードの挿入を促すカード挿入案内画面（図示省略）を表示部１６に表示する。顧客がカード挿入案内画面にしたがってキャッシュカードを挿入すると、制御部１１の指示により、カード機構部・明細票機構部１２は、挿入されたキャッシュカードに記憶している顧客情報の読取りを開始する（ステップＳ３０２）。
【００３３】
ここで、キャッシュカードは、図５に示すように、上部に配置した磁気ストライプ５１（磁気ストライプ）と、中央近傍に配置したＩＣチップ５２（ＩＣチップ）とで構成した、所謂ＩＣカードタイプのキャッシュカード５０である。
【００３４】
磁気ストライプ５１は、各種情報の記憶が可能な薄膜帯状の磁性体であって、磁気ストライプ情報５００（磁気情報）を記憶している。  
この磁気ストライプ情報５００は、顧客情報として金融機関番号５０１、支店番号５０２、口座番号５０３、提携先金融機関番号５０４、提携先支店番号５０５、提携先口座番号５０６、変動情報５０７、及びその他固定情報５０８を格納している。
【００３５】
変動情報５０７は、残高情報や有効期限など取引や時間経過で変動する情報を格納している。  
その他固定情報５０８は、ＡＴＭ１０において、キャッシュカード５０がＩＣカードタイプであることを判定するための有効性コードなどを格納している。
【００３６】
なお、提携先金融機関番号５０４、提携先支店番号５０５、及び提携先口座番号５０６は、キャッシュカード５０によっては格納していない場合があるので、これらをオプション情報５０９として取り扱う。
【００３７】
また、ＩＣチップ５２は、情報の記憶、演算などが可能な電子部品であって、ＩＣチップ情報５１０（ＩＣチップ情報）と、複製磁気ストライプ情報５２０（複製磁気情報）とを記憶している。このＩＣチップ情報５１０、及び複製磁気ストライプ情報５２０には、専用のアプリケーションを介してアクセスする。
【００３８】
ＩＣチップ情報５１０は、顧客情報として金融機関番号５１１、支店番号５１２、口座番号５１３、及び磁気ストライプ情報５１４を格納している。このＩＣチップ情報５１０は、ＩＣチップ対応のＡＴＭなどで取引する際に用いる。
【００３９】
磁気ストライプ情報５１４は、磁気ストライプ情報５００と同一の情報であるが、残高情報などの変動情報５０７が反映されない構成であり、かつＳＡＭがある場合のみ利用可能な情報である。
【００４０】
複製磁気ストライプ情報５２０は、磁気ストライプ情報５００の各情報を複製記憶したものであって、それぞれチェック用金融機関番号５２１、チェック用支店番号５２２、チェック用口座番号５２３、チェック用提携先金融機関番号５２４、チェック用提携先支店番号５２５、チェック用提携先口座番号５２６、変動情報５２７、及びその他固定情報５２８として格納している。
【００４１】
チェック用金融機関番号５２１、チェック用支店番号５２２、チェック用口座番号５２３、チェック用提携先金融機関番号５２４、チェック用提携先支店番号５２５、及びチェック用提携先口座番号５２６（所定の情報）は、後述する磁気ストライプ情報５００の改変有無の比較判定に用いる改変チェック情報５３０（改変チェック情報）を兼ねているものとする。
【００４２】
なお、チェック用提携先金融機関番号５２４、チェック用提携先支店番号５２５、及びチェック用提携先口座番号５２６は、キャッシュカード５０によっては格納していない場合があるので、これらをチェック用オプション情報５２９として取り扱う。
【００４３】
図３のステップＳ３０２に戻り、カード機構部・明細票機構部１２が、上述したデータ構造のキャッシュカード５０を読取る動作を図６から図８を用いて詳しく説明する。
【００４４】
キャッシュカード５０の挿入を検知すると、図６に示すように、ＡＴＭ１０の制御部１１の指示により、カード機構部・明細票機構部１２は、キャッシュカード５０の磁気ストライプ５１の読取りを開始する（ステップＳ６０１）。そして、制御部１１は、磁気ストライプ５１の磁気ストライプ情報５００が正常に読取れるか否かを判定する（ステップＳ６０２）。
【００４５】
磁気ストライプ情報５００が読取り不可能であれば（ステップＳ６０２：Ｎｏ）、制御部１１は、磁気ストライプ情報５００が破損していると判定する。その後、制御部１１の指示により、カード機構部・明細票機構部１２は、ＩＣチップ５２のＩＣチップ情報５１０、及び複製磁気ストライプ情報５２０の読取りを開始する（ステップＳ６０７）。
【００４６】
そして、制御部１１の指示により、カード機構部・明細票機構部１２は、読取った複製磁気ストライプ情報５２０を磁気ストライプ情報５００として磁気ストライプ５１に書き込む復旧処理を実行する（ステップＳ６０８）。磁気ストライプ情報５００の復旧処理を終了すると、制御部１１は、キャッシュカード５０の顧客情報読取りを終了して、図３のステップＳ３０２に戻って取引処理を継続する。
【００４７】
一方、ステップＳ６０２において、磁気ストライプ５１が読取り可能であれば（ステップＳ６０２：Ｙｅｓ）、制御部１１の指示により、カード機構部・明細票機構部１２は、ＩＣチップ５２のＩＣチップ情報５１０、及び複製磁気ストライプ情報５２０の読取りを開始する（ステップＳ６０３）。
【００４８】
そして、制御部１１は、磁気ストライプ情報５００の改変有無を判定する改変判定処理を実行する（ステップＳ６０４）。  
詳述すると、制御部１１は、図７、及び図８に示すように、磁気ストライプ情報５００の金融機関番号５０１と改変チェック情報５３０のチェック用金融機関番号５２１とを比較する（ステップＳ７０１）。
【００４９】
金融機関番号５０１がチェック用金融機関番号５２１と一致すれば（ステップＳ７０２：Ｙｅｓ）、制御部１１は、磁気ストライプ情報５００の支店番号５０２と改変チェック情報５３０のチェック用支店番号５２２とを比較する（ステップＳ７０３）。
【００５０】
支店番号５０２がチェック用支店番号５２２と一致すれば（ステップＳ７０４：Ｙｅｓ）、制御部１１は、磁気ストライプ情報５００の口座番号５０３と改変チェック情報５３０のチェック用口座番号５２３とを比較する（ステップＳ７０５）。
【００５１】
口座番号５０３がチェック用口座番号５２３と一致すれば（ステップＳ７０６：Ｙｅｓ）、制御部１１は、改変チェック情報５３０のチェック用オプション情報５２９の有無を判定する（ステップＳ７０７）。
【００５２】
チェック用オプション情報５２９が無ければ（ステップＳ７０８：Ｙｅｓ）、制御部１１は、磁気ストライプ情報５００が改変していないと判定し、「改変無し」として改変判定処理を終了して、図６のステップＳ６０４に戻る。
【００５３】
一方、ステップＳ７０８において、チェック用オプション情報５２９があれば（ステップＳ７０８：Ｎｏ）、制御部１１は、磁気ストライプ情報５００の提携先金融機関番号５０４と改変チェック情報５３０のチェック用提携先金融機関番号５２４とを比較する（ステップＳ７０９）。
【００５４】
提携先金融機関番号５０４がチェック用提携先金融機関番号５２４と一致すれば（ステップＳ７１０：Ｙｅｓ）、制御部１１は、磁気ストライプ情報５００の提携先支店番号５０５と改変チェック情報５３０のチェック用提携先支店番号５２５とを比較する（ステップＳ７１１）。
【００５５】
提携先支店番号５０５がチェック用提携先支店番号５２５と一致すれば（ステップＳ７１２：Ｙｅｓ）、制御部１１は、磁気ストライプ情報５００の提携先口座番号５０６と、改変チェック情報５３０のチェック用提携先口座番号５２６とを比較する（ステップＳ７１３）。
【００５６】
提携先口座番号５０６がチェック用提携先口座番号５２６と一致すれば（ステップＳ７１４：Ｙｅｓ）、制御部１１は、磁気ストライプ情報５００が改変していないと判定し、「改変無し」として改変判定処理を終了して、図６のステップＳ６０４に戻る。
【００５７】
なお、ステップＳ７０２において金融機関番号が一致しない場合（ステップＳ７０２：Ｎｏ）、またはステップＳ７０４において支店番号が一致しない場合（ステップＳ７０４：Ｎｏ）、もしくはステップＳ７０６において口座番号が一致しない場合（ステップＳ７０６：Ｎｏ）、制御部１１は、磁気ストライプ情報５００が改変していると判定し、「改変有り」として改変判定処理を終了して、図６のステップＳ６０４に戻る。
【００５８】
また、ステップＳ７１０において提携先金融機関番号が一致しない場合（ステップＳ７１０：Ｎｏ）、またはステップＳ７１２において提携先支店番号が一致しない場合（ステップＳ７１２：Ｎｏ）、もしくはステップＳ７１４において提携先口座番号が一致しない場合（ステップＳ７１４：Ｎｏ）、制御部１１は、磁気ストライプ情報５００が改変していると判定し、「改変有り」として改変判定処理を終了して、図６のステップＳ６０４に戻る。
【００５９】
すなわち、磁気ストライプ情報５００が改変チェック情報５３０のいずれか１つと一致しなければ、制御部１１は、磁気ストライプ情報５００が改変していると判定する。
【００６０】
図６のステップＳ６０４に戻り、改変判定処理が終了すると、制御部１１は、改変判定処理の結果を判定する（ステップＳ６０５）。改変判定処理の結果が「改変無し」であれば（ステップＳ６０５：Ｙｅｓ）、制御部１１は、磁気ストライプ情報５００を複製磁気ストライプ情報５２０としてＩＣチップ５２に書き込む複製処理を実行する（ステップＳ６０６）。磁気ストライプ情報５００の複製処理が終了すると、制御部１１は、キャッシュカード５０の顧客情報読取りを終了して、図３のステップＳ３０２に戻って取引処理を継続する。
【００６１】
一方、ステップＳ６０５において、改変判定処理の結果が「改変有り」であれば（ステップＳ６０５：Ｎｏ）、制御部１１は、ＩＣチップ５２の複製磁気ストライプ情報５２０を磁気ストライプ情報５００として磁気ストライプ５１に書き込む復旧処理を実行する（ステップＳ６０８）。磁気ストライプ情報５００の復旧処理が終了すると、制御部１１は、キャッシュカード５０の顧客情報読取りを終了して、図３のステップＳ３０２に戻って取引処理を継続する。
【００６２】
図３のステップＳ３０２に戻り、顧客情報読取りを終了すると、制御部１１は、顧客に対して暗証番号の入力を促す暗証番号入力案内画面（図示省略）を操作部１６に表示する。そして、顧客が暗証番号入力案内画面の指示にしたがって暗証番号を入力決定すると（ステップＳ３０３）、制御部１１は、回線接続部１９を介してホストコンピューター２０に暗証番号情報を送信する。
【００６３】
暗証番号情報をホストコンピューター２０の回線接続部２３が受信すると、ホストコンピューター制御部２１の指示により、口座情報ファイル制御部２２は、ファイル部２４の口座情報ファイル２５を参照して暗証番号の照会を行う。その後、ホストコンピューター制御部２１は、回線接続部２３を介して、ＡＴＭ１０に暗証番号の照会結果を送信する。
【００６４】
そして、暗証番号の照会結果を受信すると、ＡＴＭ１０の制御部１１は、顧客に対して取引金額の入力を促す金額入力案内画面（図示省略）を操作部１６に表示する。顧客が金額入力案内画面の指示にしたがって所望する金額を入力決定すると（ステップＳ３０４）、制御部１１の指示により、現金を紙幣入出金機構部１３、及び硬貨入出金機構部１４の内部に搬送して放出準備する。
【００６５】
また、制御部１１の指示により、カード機構部・明細票機構部１２は、キャッシュカード５０の放出準備を行う。この際、取引によって変動した残高情報を磁気ストライプ情報５００の変動情報５０７に反映させるために、制御部１１は、磁気ストライプ情報５００を更新する更新処理を実行する。
【００６６】
詳述すると、図９に示すように、制御部１１は、磁気ストライプ情報５００を更新するための更新情報（更新磁気情報）を作成する（ステップＳ９０１）。この更新情報は、取引によって変動した残高情報を変動情報５０７に反映させた新しい磁気ストライプ情報５００である。
【００６７】
そして、制御部１１の指示により、カード機構部・明細票機構部１２は、更新情報を複製磁気ストライプ情報５２０としてＩＣチップ５２に書き込む（ステップＳ９０２）。  
然る後、カード機構部・明細票機構部１２は、更新情報を磁気ストライプ情報５００として磁気ストライプ５１に記憶する（ステップＳ９０３）。その後、制御部１１は更新処理を終了して、図３のステップＳ３０４に戻って取引処理を継続する。
【００６８】
図３のステップＳ３０４に戻り、更新処理を終了すると、制御部１１の指示により、カード機構部・明細票機構部１２は、明細票を印字してキャッシュカード５０とともに放出する（ステップＳ３０５）。
【００６９】
さらに、制御部１１の指示により、紙幣入出金機構部１３、及び硬貨入出金機構部１４は、放出準備した現金を放出する（ステップＳ３０６）。顧客が放出されたキャッシュカード５０、明細票、及び現金を全て取り出すと、制御部１１は、取引処理を終了する。
【００７０】
以上のような動作を実現する構成により、ＡＴＭ１０は、顧客に特別な操作を要求することなく、キャッシュカード５０の磁気ストライプ情報５００を復旧して、顧客の利便性を向上することができる。
【００７１】
具体的には、磁気ストライプ情報５００の改変を検出すると復旧処理を実行することにより、ＡＴＭ１０は、顧客に顧客情報の入力、あるいは個人を特定する媒体投入を要求することなく、改変した磁気ストライプ情報５００を正常な情報に書き換えて復旧することができる。すなわち、改変した磁気ストライプ情報５００は、ＩＣチップ５２の複製磁気ストライプ情報５２０だけで正常な情報に復旧することができる。
【００７２】
このように、改変した磁気ストライプ情報５００をＩＣチップ５２の複製磁気ストライプ情報５２０だけで復旧できることにより、ホストコンピューター２０と接続していないＡＴＭにおいても、磁気ストライプ情報５００の復旧処理を行うことができる。
【００７３】
また、顧客は、磁気ストライプ情報５００が改変したキャッシュカード５０で取引を開始しても、取引を中断されることがなく、取引終了時には磁気ストライプ情報５００が正常なキャッシュカード５０を受け取ることができる。つまり、顧客が特別な操作を行う、あるいはＡＴＭ１０を設置している金融機関の窓口で復旧手続きを行う手間を省くことができる。
【００７４】
特に、ＡＴＭ１０の設置場所が商業施設などである場合、顧客が遠方の金融機関の窓口まで復旧手続きに出向く手間を省くことができる。加えて、金融機関もこのような復旧手続き業務を不要にすることができる。すなわち、顧客と金融機関双方の利便性を向上することができる。
【００７５】
また、磁気ストライプ情報５００の金融機関番号５０１、支店番号５０２、口座番号５０３、提携先金融機関番号５０４、提携先支店番号５０５、及び提携先口座番号５０６のいずれか１つが、改変チェック情報５３０と一致しなければ、磁気ストライプ情報５００が改変していると判定することにより、ＡＴＭ１０は、磁気ストライプ情報５００の改変を確実に検出することができる。これにより、ＡＴＭ１０は、ホストコンピューター２０との各種情報の授受にエラーが生じるなどして取引が中断するようなことを防止できる。
【００７６】
また、磁気ストライプ情報５００が改変していなければ、磁気ストライプ情報５００をＩＣチップ５２に複製記憶する複製処理により、ＡＴＭ１０は、キャッシュカード５０がカード機構部・明細票機構部１２に挿入されるたびに、磁気ストライプ情報５００を複製磁気ストライプ情報５２０としてＩＣチップ５２に複製記憶することができる。
【００７７】
これにより、ＩＣチップ５２の複製磁気ストライプ情報５２０は、取引を途中で中止しても、磁気ストライプ情報５００の最新の複製とすることができる。また、取引途中に磁気ストライプ情報５００に改変が生じるようなことがあっても、ＡＴＭ１０は、磁気ストライプ情報５００を取引開始時の状態に復旧することができる。
【００７８】
また、ＩＣチップ５２にＩＣチップ情報５１０と複製磁気ストライプ情報５２０（改変チェック情報５３０）とを別々に記憶することにより、磁気ストライプ情報５００の改変有無を確実に判定することができるとともに、ＩＣチップ５２の各情報を適切に保護することができる。
【００７９】
詳述すると、金融機関のシステムによっては、磁気ストライプ情報５００とＩＣチップ情報５１０とで支店番号などの桁数が異なることがある。このような場合、ＩＣチップ情報５１０を用いて改変判定処理を行うと、正確に判定できないおそれがある。
【００８０】
そこで、改変チェック情報５３０を用いて改変判定処理を行うことで、ＡＴＭ１０は、磁気ストライプ情報５００の改変有無を確実に検出して、その結果に応じた復旧処理、あるいは複製処理を行うことができる。さらに、磁気ストライプ情報５００と比較するために、ＩＣチップ情報５１０の各情報を変換するような処理を不要にすることができる。
【００８１】
また、ＩＣチップ５２のＩＣチップ情報５１０、及び複製磁気ストライプ情報５２０（改変チェック情報５３０）は、専用のアプリケーションがなければアクセスできないため容易に改変されないことから、磁気ストライプ情報５００の複製を確実に保護することができる。
【００８２】
さらに、磁気ストライプ情報５００の複製を複製磁気ストライプ情報５２０として記憶することにより、ＩＣチップ情報５１０は、一切書き換えが行われることない。つまり、ＡＴＭ１０は、ＩＣカード対応ＡＴＭでの取引に用いられるＩＣチップ情報５１０を確実に保護することができる。
【００８３】
また、複製磁気ストライプ情報５２０が改変困難であることから、キャッツカード５０は、悪用目的の改ざんを困難にすることができる。これにより、ＡＴＭ１０は、悪用目的で磁気ストライプ情報５００が改ざんされたキャッシュカード５０も確実に検出することができる。
【００８４】
つまり、ＡＴＭ１０は、意図せず磁気ストライプ情報５００が改変したキャッシュカード５０だけでなく、故意に改ざんしたキャッシュカード５０も検出して不正な取引を防止することができる。
【００８５】
従って、改変判定処理、複製処理、及び復旧処理により、ＡＴＭ１０は、顧客に特別な操作を要求することなく、かつホストコンピューター２０と接続することなく、キャッシュカード５０の磁気ストライプ情報５００を確実に復旧することができるとともに、顧客と金融機関双方の利便性を向上することができる。加えて、改ざんしたキャッシュカード５０を用いた不正な取引も防止することができる。
【００８６】
また、キャッシュカード５０の磁気ストライプ情報５００が読取り不可であれば復旧処理を行う（読取り判定処理）ことにより、ＡＴＭ１０は、取引と中止することなく、自動的に磁気ストライプ情報５００を復旧することができる。これにより、顧客は、カード機構部・明細票機構部１２で読取り不可のキャッシュカード５０で取引を開始しても、取引が中断されることがなく、かつ取引終了時には磁気ストライプ情報５００が正常なキャッシュカード５０を受け取ることができる。
【００８７】
従って、磁気ストライプ情報５００が読取り不可であれば、復旧処理を実行することにより、ＡＴＭ１０は、顧客に特別な操作を要求することなく、自動的にキャッシュカード５０の磁気ストライプ情報５００を復旧して、顧客の利便性を向上することができる。
【００８８】
また、ＩＣチップ５２の複製磁気ストライプ情報５２０を更新したのち、磁気ストライプ情報５００を更新する更新処理により、万一、磁気ストライプ情報５００の更新に失敗しても、更新済みの複製磁気ストライプ情報５２０から磁気ストライプ情報５００を確実に復旧することができる。
【００８９】
さらに、キャッシュカード５０の放出前に更新処理を行うことにより、残高情報を磁気ストライプ情報５００の変動情報５０７と、複製磁気ストライプ情報５２０の変動情報５２７の双方に反映することができる。これにより、ＡＴＭ１０は、直近の取引終了時点での複製磁気ストライプ情報５２０で磁気ストライプ情報５００を復旧処理することができる。
【００９０】
従って、更新処理により、ＡＴＭ１０は、顧客に特別な操作を要求することなく、キャッシュカード５０の磁気ストライプ情報５００を確実に複製するとともに、万一磁気ストライプ情報５００が改変した際には最新の状態で確実に復旧することができる。
【００９１】
また、磁気ストライプ情報５００を記憶する磁気ストライプ５１、及びＩＣチップ情報５１０を記憶するＩＣチップ５２を備えたキャッシュカード５０をカード機構部・明細票機構部１２で受付けると、制御部１１によりカード機構部・明細表記後部１２を制御するＡＴＭ１０を用いた自動取引方法であって、制御部１１の改変判定処理により、磁気ストライプ情報５００を読込むと、ＩＣチップ５２の改変チェック情報５３０と比較して、磁気ストライプ情報５００の改変有無を判定し、磁気ストライプ情報５００が改変していなければ、複製処理により読込んだ磁気ストライプ情報５００を複製磁気ストライプ情報５２０としてＩＣチップ５２に複製記憶し、磁気ストライプ情報５００が改変していれば、復旧処理により複製磁気ストライプ情報５２０を読込んで磁気ストライプ情報５００として磁気ストライプ５１に記憶することにより、顧客に特別な操作を要求することなく、キャッシュカード５０の磁気ストライプ情報５００を復旧して、顧客の利便性を向上できる自動取引方法を提供することができる。
【００９２】
また、磁気ストライプ情報５００を磁気ストライプ５１、及びＩＣチップ情報５１０を記憶するＩＣチップ５２を備えたキャッシュカード５０を受付けるカード機構部・明細票機構部１２と、制御部１１とを備えたＡＴＭ１０を用いた自動取引プログラムであって、制御部１１に、磁気ストライプ情報５００を読込むと、改変チェック情報５３０と比較して、磁気ストライプ情報５００の改変有無を判定するステップと、磁気ストライプ情報５００が改変していなければ、読込んだ磁気ストライプ情報５００を複製磁気ストライプ情報５２０としてＩＣチップ５２に複製記憶するステップと、磁気ストライプ情報５００が改変していれば、複製磁気ストライプ情報５２０を読込んで磁気ストライプ情報５００として磁気ストライプ５１に記憶するステップとを実行させることにより、顧客に特別な操作を要求することなく、キャッシュカード５０の磁気ストライプ情報５００を復旧して、顧客の利便性を向上できる自動取引プログラムを提供することができる。
【００９３】
具体的には、自動取引プログラムは、ＣＤ−ＲＯＭやＤＶＤ−ＲＯＭなどの記憶媒体により提供する、ホストコンピューター２０のファイル部２４に格納して通信回線１を介してダウンロードにより提供する、あるいはＡＴＭ１０に組み込まれて提供することができる。
【００９４】
なお、上述の実施例１では、顧客がお引出しボタン４１を押下した場合で説明したが、取引の際、カード機構部・明細票機構部１２にキャッシュカード５０を挿入する取引であれば、どの取引種別であってもよい。
【００９５】
また、更新処理をキャッシュカード５０の放出前としたが、これに限定せず取引種別に応じた適宜のタイミングで実行してもよい。さらに、更新処理は、磁気ストライプ情報５００を全て更新するのではなく、変動情報５０７など一部情報だけでもよい。
【実施例２】
【００９６】
上述の実施例１のＡＴＭ１０を用いた別の実施例として、他のＡＴＭで取引が拒否されたキャッシュカード５０の磁気ストライプ情報５００を復旧する場合について説明する。
【００９７】
図３のステップＳ３０１において、顧客が図４に示す取引メニュー画面４０のカード復旧ボタン４５を押下すると、ＡＴＭ１０の制御部１１は、顧客に対してキャッシュカード５０の挿入を促すカード挿入案内画面（図示省略）を操作部１６に表示する。
【００９８】
顧客がキャッシュカード５０をカード機構部・明細票機構部１２に挿入すると（ステップＳ３０２）、制御部１１は、図６に示すキャッシュカード５０を読取る動作のフローチャートにおいて、ステップＳ６０１からステップＳ６０７をスキップする。
【００９９】
そして、制御部１１は、磁気ストライプ情報５００の復旧処理を実行して（ステップＳ６０８）、複製磁気ストライプ情報５２０を磁気ストライプ情報５００として磁気ストライプ５１に書き込み、図３のステップＳ３０２に戻って取引処理を継続する。
【０１００】
図３のステップＳ３０２に戻ると、制御部１１は、図３のステップＳ３０３、及びステップＳ３０４をスキップする。そして、制御部１１の指示により、カード機構部・明細票機構部１２は、磁気ストライプ情報５００を復旧したキャッシュカード５０を放出する（ステップＳ３０５）。
【０１０１】
なお、この際、制御部１１は、図９の更新処理をスキップしてキャッシュカード５０を放出する。その後、制御部１１は、カード復旧ボタン４５の選択押下に対する処理を終了する。
【０１０２】
以上のような動作により、ＡＴＭ１０は、磁気ストライプ情報５００が改変したキャッシュカード５０を容易に復旧することができる。また、顧客は、特別な操作をすることなく、自動的にキャッシュカード５０の磁気ストライプ情報５００を復旧することができる。
【０１０３】
なお、上述の実施例１、及び実施例２では、自動取引装置としてＡＴＭ１０を用いて説明したがこれに限定せず、両替機やＣＤ機、あるいはカード復旧専用端末などとしてもよい。  
また、カード機構部・明細票機構部１２を一体構成としたが、カード機構部と明細票機構部は、それぞれ独立した構成としてもよい。
【実施例３】
【０１０４】
別の実施例として、カード専用端末１００（媒体受付手段）がキャッシュカード５０のＩＣチップ５２に記憶している復旧・複製プログラム５４０（各種処理プログラム）を用いて、磁気ストライプ情報５００の改変判定処理、及び複製処理、あるいは復旧処理を行う磁気ストライプ情報復旧システム（磁気情報復旧システム）について説明する。
【０１０５】
なお、図１０は実施例３におけるキャッシュカード５０とカード専用端末１００の内部構成のブロック図を示している。なお、上述した実施例１、及び実施例２と同じ構成要素は、同じ符号を付与して、その詳細な説明を省略する。
【０１０６】
キャッシュカード５０は、図１０に示すように、上述した実施例１、及び実施例２に対してＩＣチップ５２のデータ構成が異なる。このＩＣチップ５２は、ＩＣチップ情報５１０、複製磁気ストライプ情報５２０、及び改変チェック情報５３０に加えて、復旧・複製プログラム５４０を記憶している。
【０１０７】
この復旧・複製プログラム５４０は、磁気ストライプ情報５００を読込むと、磁気ストライプ情報５００の改変有無を判定し、磁気ストライプ情報５００が改変していなければ、読込んだ磁気ストライプ情報５００を複製磁気ストライプ情報５２０としてＩＣチップ５２に複製記憶する一方、磁気ストライプ情報５００が改変していれば、複製磁気情報５２０を読込むとともに、磁気ストライプ５１に記憶して磁気ストライプ情報５００を復旧するプログラムである。
【０１０８】
カード専用端末１００は、端末制御部１０１、カード受付け・排出機構部１０２、ＩＣチップ読取り・書込み機構部１０３、及び磁気ストライプ読取り・書込み機構部１０４で構成している。
【０１０９】
端末制御部１０１は、ＣＰＵ、及びメモリ等のハード構成と、プログラム、及びデータ等のソフト構成とで構成され、顧客がカード専用端末１００を用いてキャッシュカード５０の改変判定、及び磁気ストライプ情報５００の複製、あるいは復旧を行う各種処理機能や、所定のバスを介して接続された各部の動作を制御する制御機能を有している。
【０１１０】
カード受付け・排出機構部１０２は、キャッシュカード５０の挿入・検出する機能、及び端末制御部１０１の指示により排出する機能を有している。  
ＩＣチップ読取り・書込み機構部１０３は、端末制御部１０１の指示によりＩＣチップ５２の読取り、及び書込みを行う機能を有している。  
磁気ストライプ読取り・書込み機構部１０４は、端末制御部１０１の指示により磁気ストライプ５１の読取り、及び書込みを行う機能を有している。
【０１１１】
このような構成のキャッシュカード５０、及びカード専用端末１００において、磁気ストライプ情報５００を復旧したい顧客は、カード受付け・排出機構部１０２にキャッシュカード５０を挿入する。
【０１１２】
カード専用端末１００のカード受付け・排出機構部１０２がキャッシュカード５０の挿入を検出すると、端末制御部１０１の指示により、ＩＣチップ読取り・書込み機構部１０３は、キャッシュカード５０の復旧・複製プログラム５４０を読み出して端末制御部１０１のメモリに格納する。そして、端末制御部１０１は、復旧・複製プログラム５４０を実行する。
【０１１３】
カード専用端末１００の端末制御部１０１は、図６のキャッシュカード５０を読取る動作のフローチャートと、図７、及び図８の改変判定処理の動作のフローチャートにしたがって、磁気ストライプ情報５００の改変チェック、及び磁気ストライプ情報５００の複製、あるいは復旧処理を行う。
【０１１４】
以上のような動作を実現する構成により、カード専用端末１００は、顧客に特別な操作を要求することなく、キャッシュカード５０の磁気ストライプ情報５００を復旧して、顧客の利便性を向上することができる。
【０１１５】
具体的には、カード専用端末１００は、キャッシュカード５０を挿入するだけで、磁気ストライプ情報５００の改変を容易に判定することができる。そして、カード専用端末１００は、磁気ストライプ情報５００の改変有無に応じて、磁気ストライプ情報５００の複製、あるいは復旧を適切に行うことができる。
【０１１６】
また、復旧・複製プログラム５４０をＩＣチップ５２に記憶することにより、カード専用端末１００の端末制御部１０１に、復旧・複製プログラムに相当するプログラムの記憶を不要にすることができる。
【０１１７】
さらに、金融機関やキャッシュカードの仕様に依存する復旧・複製プログラム５４０をＩＣチップ５２に記憶することにより、カード専用端末１００は、金融機関やキャッシュカードの仕様に左右され難い汎用端末とすることができる。すなわち、顧客は、契約している金融機関以外でも磁気ストライプ情報５００を復旧することができる。  
加えて、カード専用端末１００は、オフラインで稼動でき、かつ非常にコンパクトな端末とすることができる。
【０１１８】
従って、ＩＣチップ５２に復旧・複製プログラムを記憶したキャッシュカード５０と、カード専用端末１００とで構成される磁気ストライプ情報復旧システムは、顧客に特別な操作を要求することなく、磁気ストライプ情報５００を復旧することができるとともに、顧客の利便性を向上することができる。
【０１１９】
なお、上述の実施例３ではカード専用端末１００で説明した、これに限らずカードリーダー／ライターなどであってもよい。  
また、上述の実施例３において、図６のステップＳ６０３、及びステップＳ６０７で、ＩＣチップ５２を読取る際、上述の実施例１で行ったＩＣチップ情報５１０の読取りを省略してもよい。
【０１２０】
また、上述の実施例１から３において、キャッシュカード５０を用いて説明したが、キャッシュカード５０に限定せず、磁気ストライプ５１とＩＣチップ５２とを備えたＩＣカードタイプであれば、クレジットカードなどであってもよい。
【０１２１】
また、改変チェック情報５３０を、チェック用金融機関番号５２１、チェック用支店番号５２２、チェック用口座番号５２３、及びチェック用オブション情報５２９で構成したが、これに限定せず適宜の構成としてもよい。
【０１２２】
また、改変チェック情報５３０は、複製磁気ストライプ情報５２０の一部を用いる構成としたが、これに限定せず任意の構成としてもよい。  
例えば、ＩＣチップ５２における別のデータ構成図である図１１に示すように、ＩＣチップ５２には、複製磁気ストライプ情報５２０と、改変チェック情報５３０とを別々に記憶してもよい。なお、図１１において、磁気ストライプ情報５００、及びＩＣチップ情報５１０は、図示を省略している。
【０１２３】
この際、複製磁気ストライプ情報５２０には、磁気ストライプ情報５００の複製を格納している。  
そして、改変チェック情報５３０には、チェック用金融機関番号５３１、チェック用支店番号５３２、チェック用口座番号５３３、チェック用提携先金融機関番号５３４、チェック用提携先支店番号５３５、及びチェック用提携先口座番号５３６を格納している。なお、チェック用提携先金融機関番号５３４、チェック用提携先支店番号５３５、及びチェック用提携先口座番号５３６は、実施例１と同様に、チェック用オプション情報５３９として取り扱う。
【０１２４】
この改変チェック情報５３０の各情報は、複製磁気ストライプ情報５２０から該当する情報を抽出して複製記憶した構成としてもよい。または、複製磁気ストライプ情報５２０内において、改変チェック情報５３０の各情報に該当する情報の記憶場所を示すアドレス情報で構成してもよい。あるいは、「金融機関番号」などのキーワードだけで構成し、改変判定処理において複製磁気ストライプ情報５２０を検索するようにしてもよい。
【産業上の利用可能性】
【０１２５】
この発明は、磁気ストライプとＩＣチップとで構成する顧客媒体と、該顧客媒体を読込み・書込み可能な様々な装置に利用することができる。
【符号の説明】
【０１２６】
１０…ＡＴＭ
１１…制御部
１２…カード機構部・明細票機構部
５０…キャッシュカード
５１…磁気ストライプ
５２…ＩＣチップ
１００…カード専用端末
５００…磁気ストライプ情報
５１０…ＩＣチップ情報
５２０…複製磁気ストライプ情報
５３０…改変チェック情報
５４０…復旧・複製プログラム
【図１】
2012248170.tif 000003
【図２】
2012248170.tif 000004
【図３】
2012248170.tif 000005
【図４】
2012248170.tif 000006
【図５】
2012248170.tif 000007
【図６】
2012248170.tif 000008
【図７】
2012248170.tif 000009
【図８】
2012248170.tif 000010
【図９】
2012248170.tif 000011
【図１０】
2012248170.tif 000012
【図１１】
2012248170.tif 000013